(57)【要約】【課題】  部品点数が少なく構造が簡単であると共に、断熱パネルを貫通して単に二つの部材を差し込むだけで簡単に断熱パネルに取り付けることができ、且つ断熱パネルに取り付けた状態で抜けることがなく、コンクリートに対して確実に埋入してアンカー効果を生じ、断熱パネルを確実にコンクリートに固定することのできる固定具を提供する。【解決手段】  断熱パネル１１を貫通する軸４と、当該軸４の一端に形成された大径の頭部５とを有する釘体２と、当該釘体２の前記軸４が貫通する透孔７を有する筒状の受け部材３とよりなり、前記釘体２の軸４の先端部に周方向に多数の凹凸６が形成され、前記受け部材３の前記透孔７の内面には前記釘体２の凹凸６に係合する複数の突条８が形成され、受け部材３の一端には前記断熱パネル１１に当接する大径の受け面９が形成されていると共に、外面には周方向に凹凸条１０が形成する。【選択図】          図１
2006241724.tif 000002
【特許請求の範囲】
【請求項１】
断熱パネル（１１）を貫通する軸（４）と、当該軸（４）の一端に形成された大径の頭部（５）とを有する釘体（２）と、当該釘体（２）の前記軸（４）が貫通する透孔（７）を有する筒状の受け部材（３）とよりなり、前記釘体（２）の軸（４）の先端部に周方向に多数の凹凸（６）が形成され、前記受け部材（３）の前記透孔（７）の内面には前記釘体（２）の凹凸（６）に係合する複数の突条（８）が形成され、受け部材（３）の一端には前記断熱パネル（１１）に当接する大径の受け面（９）が形成されていると共に、外面には周方向に凹凸条（１０）が形成されていることを特徴とする、断熱パネルのコンクリートへの固定具
【請求項２】
少なくとも前記釘体（２）の凹凸（６）及び前記受け部材（３）の突条（８）が、可撓性を有するプラスチック材料よりなることを特徴とする、請求項１に記載の断熱パネルのコンクリートへの固定具
【請求項３】
前記釘体（２）の先端が尖っていることを特徴とする、請求項１又は２に記載の断熱パネルのコンクリートへの固定具
【発明の詳細な説明】
【技術分野】
【０００１】
本発明は、建築物の壁、床、屋根スラブなどにコンクリートを打設する際に、断熱パネルをコンクリート打設の型枠として使用し、当該断熱パネルをコンクリートに一体的に接合するための固定具に関するものである。
【背景技術】
【０００２】
鉄筋コンクリート造りの建築物を建築する際には、壁、床、屋根スラブなどのコンクリート面に、建築物の断熱性を向上させるために断熱パネルを接合することが広く行われている。そしてその断熱パネルをコンクリート打設の型枠として使用し、その断熱パネルに直接コンクリートを流し込んで打設することにより、打設と同時に断熱パネルをコンクリートに一体に接合することが行われている。
【０００３】
この場合、断熱パネルにおけるコンクリートに接する面が、発泡スチロールなどの断熱材が直接露出している場合は良いのであるが、断熱パネルの不燃化や防湿性能の向上のために、表面に金属箔やプラスチックフィルムを貼り付けたものの場合には、コンクリートとの接着性に劣り、強固に接着し得ない。
【０００４】
このような断熱パネルをコンクリートに一体に接合するための手段としては、例えば特開平８−７４３４７号公報に示されたものが知られている。このものは断熱パネルを貫通して雄ねじと雌ねじを螺合させ、雄ねじの頭部を断熱パネルから突出させてコンクリートに埋め込み、これらのねじ部材を介して断熱パネルをコンクリートに一体に接合すると言うものである。
【０００５】
しかしながらこのものにおいては、雄ねじと雌ねじを螺合した状態でただ単に断熱パネルを貫通しているだけであるので、その断熱パネルの表面に生コンクリートを流し込むと、当該生コンクリートの圧力によってねじ部材は断熱パネルの反対側に押し出され、ねじ部材が断熱パネルとコンクリートとの接合に寄与しないのみならず、断熱パネルの表面に雌ねじが突出する可能性がある。
【０００６】
また実公平１−２２８１１号公報には二つのねじ部材を断熱パネルの両側から貫通させて、両者を螺合させて断熱パネルに固定し、そこに別のアンカー部材を螺合してコンクリートに埋入する構造が示されているが、これは三つのねじ部材を螺合させて組み立てるため、断熱パネルへの組み付け作業が繁雑になる。
【０００７】
またこれらの公報に示された部材は、いずれも二つ又は三つの部材をねじにより結合して断熱パネルに取り付けるものであるため、部材を互いに螺合しなければならず、作業が面倒である。特に断熱パネルをコンクリートに確実に接合するためには、この種の部材を断熱パネルに多数取り付ける必要があり、その部材一つ一つをねじにより螺合していたのでは、多数の部材を取り付けるのに多大の時間と労力を要する。
【特許文献１】特開平８−７４３４７号公報
【特許文献２】実公平１−２２８１１号公報
【発明の開示】
【発明が解決しようとする課題】
【０００８】
本発明はかかる事情に鑑みなされたものであって、部品点数が少なく構造が簡単であると共に、断熱パネルを貫通して単に二つの部材を差し込むだけで簡単に断熱パネルに取り付けることができ、且つ断熱パネルに取り付けた状態で抜けることがなく、コンクリートに対して確実に埋入してアンカー効果を生じ、断熱パネルを確実にコンクリートに固定することのできる固定具を提供することを目的とするものである。
【課題を解決するための手段】
【０００９】
而して本発明は、断熱パネルを貫通する軸と、当該軸の一端に形成された大径の頭部とを有する釘体と、当該釘体の前記軸が貫通する透孔を有する筒状の受け部材とよりなり、前記釘体の軸の先端部に周方向に多数の凹凸が形成され、前記受け部材の前記透孔の内面には前記釘体の凹凸に係合する複数の突条が形成され、受け部材の一端には前記断熱パネルに当接する大径の受け面が形成されていると共に、外面には周方向に凹凸条が形成されていることを特徴とするものである。
【００１０】
本発明においては、少なくとも前記釘体の凹凸条及び前記受け部材の突条が、可撓性を有するプラスチック材料よりなるものであることが好ましい。また前記釘体の先端が尖っていることが好ましい。
【発明の効果】
【００１１】
本発明によれば、釘体を断熱パネルを貫通させて、その先端部に受け部材を嵌合することにより、釘体に形成された凹凸と受け部材の内面の凹凸とが係合して互いに支持し、固定具を簡単に且つ確実に断熱パネルに取り付けることができる。また断熱パネルは釘体の頭部と受け部材とに挟圧されて、固定具が抜けることはない。
【００１２】
その状態で受け部材を取り付けた側に生コンクリートを流し込むことにより、受け部材の外面の凹凸がコンクリートに埋入されて係止され、また受け部材から突出した釘体の先端部の凹凸もコンクリートに埋め込まれて係止されるため、固定具を介して断熱パネルは確実にコンクリートに固定されるのである。
【００１３】
また本発明によれば、コンクリートは固定具を埋め込むことにより断熱パネルを固定しているので、建築物を廃棄する際には、容易に断熱パネルをコンクリートから分離して、分別回収することができる。
【発明を実施するための最良の形態】
【００１４】
以下本発明の実施の形態を図面に従って説明する。図１は本発明の固定具１を示すものであって、当該固定具１は釘体２と、当該釘体２が貫通する筒状の受け部材３との二つの部材からなっている。
【００１５】
前記釘体２は、棒状の軸４の一端に大径の頭部５が形成されており、その軸４の先端部には周方向に多数の凹凸６が形成され、且つ軸４の先端は断熱パネルを貫通することができるように尖っている。
【００１６】
また前記受け部材３は筒状の部材であって、その一端には前記断熱パネルに当接する大径の受け面９が形成されており、その外面には周方向に凹凸条１０が形成されている。またその中央には前記釘体２の軸４が貫通する透孔７が形成されており、当該透孔７の内面には前記釘体２の凹凸６に係合する複数の突条８が形成されている。
【００１７】
而して本発明の固定具１を断熱パネル１１に取り付けるには、先ず固定具１の釘体２の軸４を断熱パネル１１に穿設された透孔１２に通し、当該軸４の先端部を受け部材３の透孔７に挿通する。
【００１８】
このとき断熱パネル１１に予め透孔１２を穿設し、当該透孔１２に釘体２の軸４を通すのが好ましいが、釘体２の先端を尖らせておくことにより、透孔１２のない断熱パネル１１に直接釘体２を突き刺して貫通させても良い。この場合、断熱パネル１１の表面に金属箔やプラスチックフィルムなどの皮膜が形成されている場合であっても、当該皮膜を通して釘体２を貫通させることができる。
【００１９】
釘体２の軸４を受け部材３の透孔７に挿通する際には、釘体２の凹凸６と受け部材３の突条８とが係合するが、その両者が互いに撓むことにより挿通することができる。また少なくとも前記釘体の凹凸条及び前記受け部材の突条が、可撓性を有するプラスチック材料よりなるものとすることにより、容易に挿通することができるので、釘体２と受け部材３とを簡単に結合することができる。
【００２０】
そして釘体２の軸４を受け部材３の透孔７に深く挿通し、釘体２の頭部５と受け部材３の受け面９との間に断熱パネル１１を挟圧する。この状態において凹凸６と突条８とが係合して互いに固定され、抜けることはない。
【００２１】
この状態で断熱パネル１１を型枠として、受け部材３が露出した側にコンクリート１３を打設すると、受け部材３がコンクリート１３内に埋め込まれ、その表面の凹凸条１０によってコンクリート１３に係合し、断熱パネル１１は固定具１を介してコンクリート１３に対して一体的に固定される。
【００２２】
従って本発明によれば、釘体２の軸４を断熱パネル１１に貫通させ、その先端部を受け部材３の透孔７に挿通するだけで、簡単な操作で固定具１を断熱パネル１１に取り付けることができ、断熱パネル１１に多数の固定具１を取り付ける場合においても、過度の時間や労力を必要とせず、作業の効率化を図ることができる。
【００２３】
また本発明は釘体２と受け部材３との二部品よりなるものであって構造が簡単であると共に、その釘体２と受け部材３とは凹凸６と突条８とが係合することにより結合され、コンクリート１３の打設時にも生コンクリートの圧力で結合が解かれたり、固定具１が断熱パネル１１から抜けたりするようなことはない。
【００２４】
そしてコンクリートを打設した状態においては、受け部材３がコンクリート１３に埋入され、受け部材３の凹凸条１０がアンカーとなってコンクリート１３に対して強固に固定される。また図面に示すように釘体２の先端が受け部材３から突出していれば、その釘体２に形成された凹凸６もアンカーとして作用し、より強固に固定される。
【００２５】
さらに建築物が老朽化して廃棄する際には、断熱パネル１１はコンクリート１３に対して固定具１を介して結合されているだけであるので、断熱パネル１１をコンクリート１３から分離して、容易に分別回収することができる。
【図面の簡単な説明】
【００２６】
【図１】本発明の固定具の中央縦断面図
【図２】本発明の固定具の使用状態を示す中央縦断面図
【符号の説明】
【００２７】
１  固定具                  ２  釘体
３  受け部材                ４  軸
５  頭部                    ６  凹凸
７  透孔                    ８  突条
９  受け面                １０  凹凸条
１１  断熱パネル
【図１】
2006241724.tif 000003
【図２】
2006241724.tif 000004